(57)【要約】【課題】色合いを合わせ易くて美観をより良好なものにでき、コスト削減も実現し易い樋支持構造を提供すること。【解決手段】樋支持構造１が、竪樋７０を保持する樹脂製の保持部材１０と、保持部材１０を建物（躯体）６０に固定する金属製の固定金具３０とを備えるようにする。また、樋支持構造１が、固定金具３０の外面において外部に露出する部分の少なくとも一部を被覆すると共に保持部材１０と同一又は類似の色を有する樹脂製のカバー部材５０を備えるようにする。【選択図】図１
2019011552.tif 000002
【特許請求の範囲】
【請求項１】
樋を保持する樹脂製の保持部材と、
前記保持部材を躯体に固定する金属製の固定金具と、
前記固定金具の外面において外部に露出している部分の少なくとも一部を被覆し、前記保持部材と同一又は類似の色を有する樹脂製のカバー部材と、
を備える樋支持構造。
【請求項２】
前記カバー部材が可撓性を有する、請求項１に記載の樋支持構造。
【請求項３】
前記カバー部材が、前記固定金具の一部を収容可能な内部室を有し、
前記カバー部材に前記固定金具を着脱する際に、前記固定金具の前記内部室に収容された部分が、その部分と前記内部室との隙間において向きを変更可能である、請求項１に記載の樋支持構造。
【発明の詳細な説明】
【技術分野】
【０００１】
本開示は、雨樋を支持する樋支持構造に関する。
【背景技術】
【０００２】
従来、樋支持構造としては、特許文献１に記載されているものがある。この樋支持構造は、竪樋を把持する把持手段と、この把持手段を建物の外壁に取付ける固定手段とを備える。固定手段は金属製の板状部材であり、その一端部に側面視略Ｕ字状の折返係合部を有し、他端部に側面視略Ｌ字状の直立固定部を有する。他方、把持手段は樹脂材料からなり、把持手段の外壁側には、上記折返係合部の形状に対応する凹部形状を画定する被係合部が設けられる。折返係合部が被係合部に係合することで、固定手段の一端部が把持手段に取り付けられ、直立固定部がビスによって建物の外壁に固定されることで、固定手段の他端部が建物の外壁に取り付けられる。
【先行技術文献】
【特許文献】
【０００３】
【特許文献１】特開２００４−２３２１９３号公報
【発明の概要】
【発明が解決しようとする課題】
【０００４】
美観を良好なものにするために、把持手段を竪樋と同じ色合いの樹脂で構成し、板状の固定手段の視認可能な部分に把持手段と同じ色合いの塗装を施すことがある。しかし、樹脂の色と、塗装の色とは、色合いを合わせにくく、把持手段と、固定手段の色合いを合わせにくい。また、塗装は、工数が多くてコスト高になり易い。
【０００５】
そこで、本開示は、色合いを合わせ易くて美観をより良好なものにでき、コスト削減も実現し易い樋支持構造を提供することにある。
【課題を解決するための手段】
【０００６】
上記課題を解決するため、本開示に係る樋支持構造は、樋を保持する樹脂製の保持部材と、保持部を躯体に固定する金属製の固定金具と、固定金具の外面において外部に露出している部分の少なくとも一部を被覆し、保持部材と同一又は類似の色を有する樹脂製のカバー部材と、を備える。
【０００７】
なお、本明細書では、上記同一の色を、有彩色である場合には、ある色と色相環上で同じ位置にある色として定義し、色相環上で色相差が０（ゼロ）の色として定義する。よって、有彩色である場合には、同一の色には、明度が同一又は異なる色が含まれ、彩度が同一又は異なる色が含まれる。また、上記同一の色を、無彩色である場合には、明度が同一の色として定義する。
【０００８】
また、本明細書では、上記類似の色を、有彩色である場合には、ある色と色相環上で角度にして±４５°以内（０°は除く）の範囲の色として定義する。また、上記類似の色を、無彩色である場合には、反射率１００％の白色面の明度が１０であり、種々の物体面の明度が０から１０の値をとるとき、明度差が３以下の色（０は含まず）として定義する。
【発明の効果】
【０００９】
本開示に係る樋支持構造によれば、色合いを合わせ易くて美観をより良好なものにでき、コスト削減も実現し易い。
【図面の簡単な説明】
【００１０】
【図１】本開示の第１実施形態に係る樋支持構造を側方から見たときの模式図である。
【図２】第１実施形態に係る樋支持構造に関して、保持部材に対する固定金具の取付構造について説明する取付構造の斜視図である。
【図３】上記固定金具の斜視図である。
【図４】カバー部材を取り付けた上記固定金具の斜視図である。
【図５】（ａ）、（ｂ）及び（ｃ）の夫々は、カバー部材の構造を説明するためのカバー部材の一部の斜視図である。
【図６】建物に固定した状態での上記カバー部材付き固定金具の模式断面図である。
【図７】第２実施形態の樋支持構造の図６に対応する模式断面図である。
【図８】（ａ）は、第３実施形態の樋支持構造におけるカバー部材付きの固定金具の斜視図であり、（ｂ）は、カバー部材付きの固定金具の一部を、別の方向から見たときの斜視図である。
【図９】（ａ）、（ｂ）及び（ｃ）の夫々は、第４実施形態の樋支持構造における固定金具へのカバー部材の取り付けについて説明する斜視図である。
【図１０】（ａ）は、第５実施形態の樋支持構造のカバー部材を表す斜視図であり、（ｂ）は、第５実施形態の樋支持構造の固定金具の一部を表す斜視図である。
【図１１】（ａ）及び（ｂ）の夫々は、第６実施形態の樋支持構造のカバー部材を互いに異なる方向から見たときの斜視図である。
【図１２】（ａ）、（ｂ）、（ｃ）及び（ｄ）の夫々は、第７実施形態において、カバー部材に対する固定金具の取り付けについて説明する模式図である。
【図１３】第８実施形態の樋支持構造におけるカバー部材の構造を表す斜視図である。
【図１４】第９実施形態の樋支持構造におけるカバー部材の構造を説明するための斜視図である。
【図１５】第１０実施形態の樋支持構造の構造を説明する断面図であり、建物の外壁に固定された状態の樋支持構造の断面図である。
【発明を実施するための形態】
【００１１】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。
【００１２】
また、本開示は、以下で説明する実施形態およびその変形例に限定されるものではなく、本願の特許請求の範囲に記載された事項およびその均等な範囲において種々の改良や変更が可能である。
【００１３】
また、以下の実施例の説明では、樋支持構造が、鉛直方向に延在する竪樋７０を支持する場合を例に説明を行う。そして、鉛直方向を基準とした文言、例えば鉛直方向、水平方向、上側、下側等を使用した場合には、それは、樋支持構造が建物に取り付けられた状態での方向等を表す。しかし、本開示の樋支持構造が支持する樋は、水平方向に延在してもよく、鉛直方向及び水平方向の両方に傾斜する方向に延在してもよい。
【００１４】
また、以下の実施例の説明では、同一の色及び類似の色は、上述のように定義される。しかし、保持部材の色とカバー部材の色とが有彩色である場合には、当該２つの部材の色が、色相環上で角度にして３０°以内の位置にあると好ましく、色相環上で角度にして１５°以内の位置にあると更に好ましい。また、保持部材の色とカバー部材の色とが有彩色である場合には、当該２つの部材の色が、色相環上で角度にして１０°以内の位置にあると最も好ましい。
【００１５】
また、保持部材の色とカバー部材の色とが有彩色である場合に、彩度を、色空間の中央軸（無彩色軸）からの距離で定義し、無彩色（白・黒・灰色）で０となり、無彩色軸から離れるに従って値が大きくなり、純色で最大（１０）となるように定義したとする。この場合、当該２つの部材の色が、彩度差が３以下であれば好ましく、彩度差が２以下であれば更に好ましく、彩度差が１以下であれば最も好ましい。
【００１６】
また、保持部材の色及びカバー部材の色が有彩色か無彩色かに拘わらず、当該２つの部材の色が、反射率１００％の白色面の明度が１０であり、種々の物体面の明度が０から１０の値をとるとき、明度差が２以下であれば好ましく、明度差が１以下であれば更に好ましい。
【００１７】
（第１実施形態）
図１は、本開示の第１実施形態に係る樋支持構造１を側方から見たときの模式図である。図１に示すように、樋支持構造１は、樹脂製の保持部材１０、金属製の固定金具３０、及び樹脂製のカバー部材５０を備える。
【００１８】
保持部材１０は、環状部材であり、鉛直方向に延在する貫通孔１２を有する。竪樋７０は貫通孔１２を通過する。貫通孔１２の内周面が竪樋７０の外周面を支持することで竪樋７０の姿勢が維持される。保持部材１０は、ポリカーボネートやポリプロピレン等の合成樹脂で構成されると好ましく、竪樋７０と同一又は類似の色の樹脂で構成されると、竪樋７０と色合いが良好となって好ましい。また、保持部材１０が、竪樋７０と主成分（製品において最も重量％が大きい成分）が同一の同種の樹脂で構成されると、保持部材１０の色を竪樋７０の色と類似な色にし易くなって好ましい。また、保持部材１０が、竪樋７０と同一の樹脂で構成されると、保持部材１０の色が竪樋７０の色と同一となって、最も色合いに優れて好ましい。
【００１９】
固定金具３０は金属製の板状部材であり、その一端部に側面視略Ｕ字状の折返係合部３１を有すると共に、他端部に側面視略Ｌ字状の直立固定部３２を有する。以下の図２で説明するが、保持部材１０の建物６０の外壁面側には、折返係合部３１に対応する凹部形状を画定する被係合部１１が設けられる。折返係合部３１が被係合部１１に係合することで、固定金具３０の一端部が保持部材１０に取り付けられ、直立固定部３２がビス４０によって建物６０の外壁に固定されることで、固定金具３０の他端部が建物６０の外壁に取り付けられる。
【００２０】
カバー部材５０は、固定金具３０における外部から視認可能な箇所を覆うように固定金具３０に取り付けられ、ビス４０によって固定金具３０と共に建物６０の外壁に固定される。固定金具３０に対するカバー部材５０の取付構造については、図２以下で詳細に説明する。カバー部材５０は、ポリカーボネートやポリプロピレン等の合成樹脂で構成されると好ましく、保持部材１０と同一又は類似の色の樹脂で構成されると、保持部材１０と色合いが良好となって好ましい。また、カバー部材５０が、保持部材１０と主成分（製品において最も重量％が大きい成分）が同一の同種の樹脂で構成されると、カバー部材５０の色を保持部材１０の色と類似にし易くなって好ましい。また、カバー部材５０が、保持部材１０と同一の樹脂で構成されると、カバー部材５０の色が保持部材の色と同一となって、最も色合いに優れて好ましい。
【００２１】
図２は、保持部材１０に対する固定金具３０の取付構造について説明する該取付構造の斜視図であり、図３は、固定金具３０の斜視図である。図３に示すように、固定金具３０は、水平方向において一方向に延在する帯状平板からなる本体部３５を有する。固定金具３０の折返係合部３１は、第１鉛直方向延在部３３と、水平方向延在部３４を含み、固定金具３０の直立固定部３２は、第２鉛直方向延在部３９で構成される。
【００２２】
第１鉛直方向延在部３３は、本体部３５の建物６０側とは反対側の端部から鉛直方向下側に延在し、水平方向延在部３４は、第１鉛直方向延在部３３の下側端部から本体部３５に略平行な状態で水平方向の建物６０側に延在する。第１鉛直方向延在部３３は、折返係合部３１側の外方から見たとき矩形の形状を有する。また、水平方向延在部３４は、鉛直方向に延在する突出部係合孔３８を有する。一方、第２鉛直方向延在部３９は、本体部３５の長手方向の建物６０側の端部から第１鉛直方向延在部３３に略平行な状態で鉛直方向上側に延在し、ビス４０を止めるための貫通孔３６を有する。
【００２３】
図２に示すように、保持部材１０は、建物６０側に第１鉛直方向延在部３３の上記矩形の形状に対応する開口形状を有する貫通孔３７を有する。第１鉛直方向延在部３３を貫通孔３７に嵌め込むことにより、固定金具３０が保持部材１０に対して固定金具３０の本体部３５の延在方向以外の方向に相対移動できないようにしている。また、保持部材１０は、貫通孔３７の下側面から鉛直方向上方に突出する突出部１４を有する。この突出部１４は、水平方向延在部３４（図３参照）の突出部係合孔３８の開口形状に対応する断面形状を有する。固定金具３０を貫通孔３７に嵌合させる際、突出部１４が突出部係合孔３８に入り込むまで、水平方向延在部３４の第１鉛直方向延在部３３側の部分を、突出部１４を乗り越えるように変形させながら貫通孔３７に押し込む。この押し込みにより、固定金具３０が保持部材１０に対して固定金具３０の本体部３５の延在方向に相対移動できなくなり、固定金具３０が保持部材１０に固定される。
【００２４】
図４は、カバー部材５０を取り付けた固定金具３０を表す斜視図であり、図５（ａ）、（ｂ）及び（ｃ）は、カバー部材５０の構造を説明するためのカバー部材５０の一部の斜視図である。また、図６は、建物６０に固定した状態でのカバー部材５０付き固定金具３０の模式断面図である。
【００２５】
図４に示すように、固定金具３０は、固定金具３０の本体部３５（図３参照）の延在方向における建物６０側とは反対側から見たとき、保持部材１０の貫通孔３７に嵌入される折返係合部３１以外の全ての部分がカバー部材５０で覆われる。カバー部材５０は、図５（ａ）に示す本体部５１と、図５（ｃ）に示す平板形状の底板部５２とを有する。図５（ａ）に示すように、本体部５１は、水平方向延在部５６と、鉛直方向延在部５７を有し、水平方向延在部５６は、下側に開口する略直方体状の凹部５８を有する。凹部５８の幅は、固定金具３０の本体部３５の幅に略一致し、凹部５８の長手方向長さは、固定金具３０の本体部３５の長手方向長さに略一致する。
【００２６】
鉛直方向延在部５７は、水平方向延在部５６の建物側の端部から上側に延在する。図５（ｂ）に示すように、鉛直方向延在部５７は、固定金具３０（図３参照）の直立固定部３２の形状に対応する略直方体状の直立固定部収容部５５を有する。図５（ｃ）に示す底板部５２の長手方向長さは、図５（ａ）に示す本体部５１の長手方向長さと略一致する。
【００２７】
固定金具３０の直立固定部３２を、直立固定部収容部５５に隙間なく嵌め込み、図５（ｃ）に示す底板部５２を図５（ａ）に示す凹部５８の下側から凹部５８の下側の全てを覆うように圧入すると、図４に示す状態となる。この状態で、図６に示すように、折返係合部３１と直立固定部３２の建物側の面２４とを除く固定金具３０の他の全ての部分が、カバー部材５０で覆われる一方、折返係合部３１と直立固定部３２の建物側の面２４は、カバー部材５０で覆われない。しかし、上述のように、折返係合部３１は、保持部材１０によって視認不可能となり、図６に示すように、直立固定部３２の建物側の面２４は、建物の外壁２８によって視認不可能になる。その結果、金属製の固定金具３０の全部分が視認不可能になる。
【００２８】
図４に示すように、カバー部材５０の鉛直方向延在部５７は、ビス４０を止めるための貫通孔５３を有する。固定金具３０にカバー部材５０を取り付けた状態で、カバー部材５０の貫通孔５３と固定金具３０の貫通孔３６（図３参照）とは、同一直線上に位置する。ビス４０を用いてカバー部材５０及び固定金具３０を建物６０の外壁に固定する。
【００２９】
上記実施形態によれば、樋支持構造１が、竪樋７０を保持する樹脂製の保持部材１０と、保持部材１０を建物（躯体）６０に固定する金属製の固定金具３０とを備える。また、樋支持構造１が、固定金具３０の外面において外部に露出している部分の少なくとも一部を被覆すると共に保持部材１０と同一又は類似の色を有する樹脂製のカバー部材５０を備える。
【００３０】
したがって、金属製の固定金具３０の外部に露出している部分の少なくとも一部が樹脂製のカバー部材５０で覆われるので、カバー部材５０で覆われた上記少なくとも一部に関し、塗装を施す場合との比較で樹脂製の保持部材１０と色合いを同一にし易い。更には、カバー部材５０が保持部材１０と同一又は類似の色を有するので、保持部材１０との色合いを良好なものにできる。
【００３１】
また、金属製の固定金具に塗装を施す場合、工数が多くなって製造コストが高くなり易い一方、カバー部材５０は射出成形等で安価に製造できる。よって、本開示の樋支持構造１では、樹脂製のカバー部材５０で金属製の固定金具３０を覆う構成であるので、コスト削減も実現し易い。
【００３２】
なお、固定金具３０において外部に露出する部分の全てをカバー部材５０で覆う場合について説明したが、固定金具において外部に露出する部分の一部のみをカバー部材で覆ってもよい。この場合、カバー部材で覆った当該一部のみの色合いを、保持部材の色合いと合わせ易くなる。
【００３３】
（第２実施形態）
図７は、第２実施形態の樋支持構造１０１の図６に対応する模式断面図である。なお、第２実施形態を含む以下の全ての実施形態及び変形例では、カバー部材の色は、保持部材の色と同一又は類似の色となっている。また、第２実施形態を含む以下の全ての実施形態及び変形例では、カバー部材の色と保持部材の色とで、色相環上での好ましい位相差（角度差）や、好ましい彩度差や、好ましい明度差も、第１実施形態と変わらない。また、第２実施形態を含む以下の実施形態では、第１実施形態と同一の構成に第１実施形態と同一の参照番号を付して説明を省略する。また、第２実施形態を含む以下の実施形態では、第１実施形態と同様の作用効果及び変形例についての説明を省略する。
【００３４】
樋支持構造１０１は、固定金具１３０の保持部材側の端部１３１が、断面略Ｌ字状になっている点と、カバー部材１５０が、可撓性を有する樹脂部材、例えばエポキシ樹脂やポリウレタン樹脂等で構成されている点とが、第１実施形態と異なる。固定金具１３０が断面略Ｌ字状の端部１３１を有する場合、例えば、リベット等の締結部材を用いて断面略Ｌ字状の端部１３１を図示しない保持部材の側壁に取り付けることで固定金具１３０を保持部材に固定する。
【００３５】
第２実施形態によれば、カバー部材１５０が可撓性を有する。したがって、図７に示すように、建物１６０の外壁１２８に凹凸が存在する場合でも、その凹凸に沿うようにカバー部材１５０の鉛直方向延在部１５７を柔軟に変形させることができる。よって、建物１６０の外壁１２８に凹凸が存在する場合でも、カバー部材１５０の端面を外壁１２８に密着させることができ、これに起因して固定金具１３０が変形し易くなって、固定金具１３０を建物１６０に密着させて固定できる。
【００３６】
（第３実施形態）
図８（ａ）は、第３実施形態の樋支持構造２０１におけるカバー部材２５０付きの固定金具２３０の斜視図である。また、図８（ｂ）は、カバー部材２５０付きの固定金具２３０を、図示しない保持部材側とは反対側から見たときの斜視図である。
【００３７】
金属製の固定金具２３０及び樹脂製のカバー部材２５０は、インサート成形により同時に一体成形される。カバー部材２５０付きの固定金具２３０は、図示しない保持部材に固定するためのビス通過孔２７０と、図示しない建物に固定するためのビス通過孔２７１とを有する。
【００３８】
カバー部材２５０及び固定金具２３０をインサート成形で一体成形した場合、固定金具２３０及び樹脂製のカバー部材２５０を一体に取り扱うことができ、施工性が良好なものになる。また、図８（ａ）及び図８（ｂ）に示すように、カバー部材２５０と固定金具２３０との間に隙間が生じず、コンパクトな樋支持構造２０１を実現できる。
【００３９】
（第４実施形態）
図９（ａ）、図９（ｂ）及び図９（ｃ）は、第４実施形態の樋支持構造３０１における固定金具３３０へのカバー部材３５０の取り付けについて説明する斜視図である。第１実施形態では、図５に示すように、底板部５２を本体部５１の凹部５８に圧入することにより、本体部５１及び底板部５２を一体化した。
【００４０】
これに対し、第４実施形態では、図９（ａ）に示すように、本体部３５１が、凹部３５８の下側かつ幅方向の両側に、凹部３５８の延在方向に延在すると共に幅方向内側に突出するレール部３６０及び３６１を有する。図９（ｃ）に示すように、固定金具３３０の直立固定部３３２を、直立固定部収容部３５５（図９（ａ）参照）に隙間なく嵌め込み、カバー部材３５０の本体部３５１と、固定金具３３０を一体化する。
【００４１】
そして、その後、図９（ａ）に示すように、底板部３５２をレール部３６０及び３６１の上面に沿うように、矢印Ａで示す方向である凹部３５８の延在方向にスライドさせる。このようにして、図９（ｂ）及び図９（ｃ）に示すように、本体部３５１及び固定金具３３０と、底板部３５２とを一体化し、カバー部材３５０を固定金具３３０に取り付ける。
【００４２】
（第５実施形態）
図１０（ａ）は、第５実施形態の樋支持構造４０１のカバー部材４５０を示す斜視図であり、図１０（ｂ）は、第５実施形態の樋支持構造４０１の固定金具４３０の一部を示す斜視図である。図１０（ｂ）に示すように、固定金具４３０は、平板状の水平方向延在部４３５と、平板状の鉛直方向延在部４３９を含み、鉛直方向延在部４３９は、水平方向延在部４３５の一端部（建物側の端部）から水平方向延在部４３５に直交する方向（上側）に延在する。
【００４３】
一方、カバー部材４５０は、図１０（ａ）に示すように、水平方向延在部４５６と、鉛直方向延在部４５７を有し、鉛直方向延在部４５７は、水平方向延在部４５６の一端部（建物側の端部）から上側に延在する。また、カバー部材４５０は、固定金具４３０の水平方向延在部４３５に対応する形状の凹部４５８を有する。凹部４５８は、カバー部材４５０の幅方向の一方側が側方側に開口し、この開口は、水平方向延在部４５６の延在方向に延在する。
【００４４】
図１０（ａ）及び図１０（ｂ）を参照して、固定金具４３０の水平方向延在部４３５を側方から凹部４５８に最後まで挿入する。そして、固定金具４３０の鉛直方向延在部４３９における保持部材（図示せず）側の面４３４をカバー部材４５０の鉛直方向延在部４５７の裏面（建物側の面）４５４に当接させる。水平方向延在部４３５を凹部４５８に最後まで挿入すると、カバー部材４５０のビス取付孔４５３と、固定金具４３０のビス取付孔４３６とが同一の直線上に位置し、カバー部材４５０が固定金具４３０に取り付けられる。
【００４５】
（第６実施形態）
図１１（ａ）及び図１１（ｂ）は、第６実施形態の樋支持構造５０１のカバー部材５５０を互いに異なる方向から見たときの斜視図である。図１１（ａ）及び図１１（ｂ）に示すように、カバー部材５５０は、下に凸の湾曲面５５１と、水平面に略平行な２つの底面５５２,５５３と、底面５５２,５５３の建物側の端部に直交し、鉛直方向に略平行に延在する２つの壁接触面５５４,５５５と、一対の互いに平行な側面５５６,５５７を有する。これらの面５５１〜５５７で囲まれた凹部５７０に、図示しない固定金具の保持部材側の端部以外の部分が収容される。図１１（ｂ）に示すように、カバー部材５５０は、鉛直方向の下側が、保持部材側の端から建物側の端まで開口する。このように、カバー部材５５０を下側の全てが開口する構成とすることで、曲げ応力に対するカバー部材５５０の耐久性を向上させることができる。よって、建物の外壁に凹凸があっても、樋支持構造５０１を長期にわたって建物に確実に取り付けできる。
【００４６】
（第７実施形態）
図１２は、第７実施形態において、カバー部材６５０に対する固定金具３０の取り付けについて説明する模式図である。カバー部材６５０は、第６実施形態のカバー部材５５０との比較において、鉛直方向の下側が開口していなくて塞がれており、開口６８０が保持部材側に一箇所のみ設けられる点のみが異なる。また、固定金具３０は、第１実施形態で用いられた固定金具３０と同一である。
【００４７】
カバー部材６５０に固定金具３０を取り付ける際には、先ず、図１２（ａ）に示すように、固定金具３０の直立固定部３２の先端面がカバー部材６５０の開口６８０に対向するように、固定金具３０を配置する。そして、直立固定部３２をカバー部材６５０の内部室６８８内に挿入する。続いて、図１２（ｂ）,（ｃ）に示すように、帯状平板形状の本体部３５と直立固定部３２の接続部６９を、内部室６８８の底面６７７に沿うように内部室６８８内に移動させる。また、この接続部６９の移動と同時進行で、直立固定部３２を、接続部６９を支点として矢印Ｂ（図１２（ｂ）参照）で示す反時計回り方向に回転させる。この接続部６９の移動と、接続部６９を支点とした直立固定部３２の矢印Ｂで示す反時計回り方向の回転は、図１２（ｄ）に示す状態まで実行される。図１２（ｄ）に示すように、直立固定部３２が内部室６８８の建物側の面６９４に接触すると共に、直立固定部３２の延在方向が、取付状態で鉛直方向となる方向に一致すると、カバー部材６５０に対する固定金具３０の取り付けを完了する。
【００４８】
本実施形態によれば、カバー部材６５０が、固定金具３０の一部を収容可能な内部室６８８を有する。また、カバー部材６５０に固定金具３０を着脱する際に、固定金具３０の内部室６８８に収容された部分が、その部分と内部室６８８との隙間において向きを変更可能である。したがって、固定金具３０がカバー部材６５０で密着支持されることがなくて、カバー部材６５０の内部室６８８の内面と、固定金具３０との間にスペースが存在するので、固定金具３０が変形し易くなる。よって、建物の外壁に凹凸があっても、その凹凸に沿うように固定金具３０を変形させることができ、固定金具３０をより密着させた状態で建物の外壁に固定できる。
【００４９】
（第８実施形態）
図１３は、第８実施形態の樋支持構造７０１におけるカバー部材７５０の構造を表す斜視図である。図１３に示すように、カバー部材７５０は、第７実施形態のカバー部材６５０との比較において、設置時において下を向き平面視で矩形の底板部７５１に、底板部７５１を長手方向に一端から他端まで横断する隙間７５２を設けた点のみが異なる。
【００５０】
この変形例によれば、隙間７５２の形成によって、底板部７５１が弾性によって幅方向に広がり易くなるので、底板部７５１の幅を広げることで、図示しない固定金具をカバー部材７５０の内部室７８８に収容し易い。そして、その後、底板部７５１の復元力で固定金具をカバー部材７５０の幅方向に締め付けることで、カバー部材７５０に対する固定金具の位置決めを精密に行うことができる。
【００５１】
なお、図１３に示す例では、隙間７５２が蛇行して延在し、隙間７５２によって分断された底板部７５１の幅方向の左右部分の夫々が凹凸を有しているが、隙間は、平面視で矩形の底板部を、その長手方向に横断すればよい。例えば、隙間は、平面視で矩形の底板部を、底板部の長手方向に横断してもよい。
【００５２】
（第９実施形態）
図１４は、第９実施形態の樋支持構造８０１におけるカバー部材８５０の構造を説明するための斜視図である。図１４に示すように、カバー部材８５０は、上側部材８６０と、下側部材８７０を含み、上側部材８６０は、図示しない固定金具の帯状平板からなる本体部を収容する収容室８８８の一部を画定する上側第１側壁８６１と上側第２側壁８６２とを有する。上側第１側壁８６１は、カバー部材８５０の幅方向一方側に収容室８８８の延在方向に延在するように配置され、上側第２側壁８６２は、カバー部材８５０の幅方向他方側に収容室８８８の延在方向に延在するように配置される。上側第１側壁８６１と上側第２側壁８６２は、互いに平行に配設される。
【００５３】
また、下側部材８７０は、収容室８８８の一部を画定する下側第１側壁８７１と下側第２側壁８７２とを有する。下側第１側壁８７１は、カバー部材８５０の幅方向一方側に収容室８８８の延在方向に延在するように配置され、下側第２側壁８７２は、カバー部材８５０の幅方向他方側に収容室８８８の延在方向に延在するように配置される。下側第１側壁８７１と下側第２側壁８７２は、互いに平行に配設される。
【００５４】
上側第１側壁８６１及び上側第２側壁８６２の夫々は、複数の等脚台形状の凹部８４１を有する。複数の等脚台形状の凹部８４１は、収容室８８８の延在方向に間隔をおいて配置され、各凹部８４１は、下側に行くにしたがって末広がりとなる等脚台形の形状を有する。各凹部８４１は、それが設けられる上側第１側壁８６１又は上側第２側壁８６２をその厚さ方向（カバー部材８５０の厚さ方向に一致）に貫通する。
【００５５】
他方、下側第１側壁８７１及び下側第２側壁８７２の夫々は、複数の等脚台形状の凸部８５１を有する。複数の等脚台形状の凸部８５１は、収容室８８８の延在方向に間隔をおいて配置され、各凸部８５１は、下側に行くにしたがって末広がりとなる等脚台形の形状を有する。各凸部８５１は、凹部８４１の形状に対応する形状を有する。収容室８８８の延在方向に関して、複数の凸部８５１が設けられる位置は、複数の凹部８４１が設けられる位置に一致する。複数の凸部８５１を複数の凹部８４１に隙間なく圧入で嵌め込むと、収容室８８８が構成される。収容室８８８が構成されている状態で、上側第１側壁８６１及び下側第１側壁８７１は、互いに相俟って収容室８８８を画定する幅方向一方側の側壁部を構成する。また、収容室８８８が構成されている状態で、上側第２側壁８６２及び下側第２側壁８７２は、互いに相俟って収容室８８８を画定する幅方向他方側の側壁部を構成する。
【００５６】
なお、複数の凸部８５１と、それらに対応する形状の複数の凹部８４１とを圧入に加えて、又は圧入に代えて接着剤を用いることで互いに固定してもよい。また、凹部８４１が、等脚台形の形状を有する場合について説明したが、凹部は、矩形の形状や、半円の形状等であってよく、凸部は、凹部の形状に対応する形状を有すればよい。要は、凹部及び凸部は、互いに隙間なく嵌め合わせることが可能な形状であれば如何なる形状であってもよい。
【００５７】
（第１０実施形態）
図１５は、第１０実施形態の樋支持構造９０１の構造を説明する断面図であり、建物６０の外壁２８に固定された状態の樋支持構造９０１の断面図である。図１５に示すように、カバー部材９５０において固定金具３０の帯状平板からなる本体部３５を収容する収容室９８８の上壁部９８１は、下方側に突出する複数の先細りの上側突起部９４０を含む。また、収容室９８８の下壁部９８２は、上方側に突出する複数の先細りの下側突起部９６０を有する。複数の上側突起部９４０は、複数の下側突起部９６０に高さ方向に対向する。複数の上側突起部９４０は、互いに間隔をおいた状態で略均等な密度で上壁部９８１に設けられ、複数の下側突起部９６０は、互いに間隔をおいた状態で略均等な密度で下壁部９８２に設けられる。
【００５８】
また、カバー部材９５０において固定金具の３０の板状の直立固定部３２を収容する凹部９４７の一部を画定し、直立固定部３２に水平方向に対向する直立側壁部９８３は、水平方向に突出する複数の先細りの側方側突起部９７０を含む。複数の側方側突起部９７０は、互いに間隔をおいた状態で略均等な密度で直立側壁部９８３に設けられる。
【００５９】
各上側突起部９４０は、下側に先細りの形状を有するので、固定金具３０の本体部３５を大きな面圧で下側に押圧し、各下側突起部９６０は、上側に先細りの形状を有するので、固定金具３０の本体部３５を大きな面圧で上側に押圧する。これにより、固定金具の３０の本体部３５が、上側及び下側突起部９４０,９６０によって大きな力で上下方向に挟持され、本体部３５の鉛直方向位置が精度良く位置決めされる。更には、各側方側突起部９７０は、水平方向の外壁２８側に先細りの形状を有するので、固定金具３０の直立固定部３２を大きな面圧で外壁２８側に押圧する。これにより、直立固定部３２が、複数の側方側突起部９７０と、外壁２８とで水平方向に挟持され、直立固定部３２の水平方向位置が精度良く位置決めされる。その結果、固定金具３０をカバー部材９５０に対して高精度で位置決めできる。
【００６０】
なお、複数の上側突起部は、互いに間隔をおいた状態で均等でない密度で上壁部に設けられてもよく、複数の下側突起部は、互いに間隔をおいた状態で均等でない密度で下壁部に設けられてもよい。また、複数の側方側突起部は、互いに間隔をおいた状態で均等でない密度で直立側壁部に設けられてもよい。また、複数の上側突起部及び複数の下側突起部は、鉛直方向に対向しない少なくとも１つの上側突起部、又は鉛直方向に対向しない少なくとも１つの下側突起部を含むように、配設されてもよい。
【００６１】
また、複数の上側突起部９４０の代わりに、幅方向に延在する複数の畝状の突出部を、帯状の本体部の延在方向（長手方向）に間隔をおいて上壁部に設けてもよい。また、複数の下側突起部９６０の代わりに、幅方向に延在する複数の畝状の突出部を、帯状の本体部の延在方向（長手方向）に間隔をおいて下壁部に設けてもよい。また、複数の側方側突起部９７０の代わりに、幅方向に延在する複数の畝状の突出部を、鉛直方向に間隔をおいて直立側壁部に設けてもよい。
【符号の説明】
【００６２】
１,１０１,２０１,３０１,４０１,５０１,７０１,８０１,９０１  樋支持構造、  １０  保持部材、  ３０,１３０,２３０,３３０,４３０  固定金具、  ５０,１５０,２５０,３５０,４５０,５５０,６５０,７５０,８５０,９５０  カバー部材、  ６０,１６０  建物、  ７０  竪樋、  ６８８  内部室。
【図１】
2019011552.tif 000003
【図２】
2019011552.tif 000004
【図３】
2019011552.tif 000005
【図４】
2019011552.tif 000006
【図５】
2019011552.tif 000007
【図６】
2019011552.tif 000008
【図７】
2019011552.tif 000009
【図８】
2019011552.tif 000010
【図９】
2019011552.tif 000011
【図１０】
2019011552.tif 000012
【図１１】
2019011552.tif 000013
【図１２】
2019011552.tif 000014
【図１３】
2019011552.tif 000015
【図１４】
2019011552.tif 000016
【図１５】
2019011552.tif 000017